【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
カルボン酸、アルコールおよびエステルを１つ以上のアルキレンオキシドによりアルコキシル化するのを促進するのに有用な触媒を形成する方法であって、
ａ）少なくとも２つのアルカリ土類化合物と、場合によっては、カルボン酸；約１００と１５００の間の分子量を有するポリアルキレングリコール；約１００と１５００の間の分子量を有するＣ1−Ｃ10アルキルでキャップされたポリアルキレングリコール；および前出のいずれかを含む混合物からなる群から選択される１つ以上の更なる材料を含んでなる第１の混合物を準備し；
ｂ）少なくとも１つの酸を前記第１の混合物と合体して、第２の混合物を形成し；
ｃ）前記第２の混合物を均質化して、均質のペーストまたは均質の液体の形の触媒を生成させる
段階を含んでなる方法。
【請求項２】
前記２つのアルカリ土類化合物が実質的にイオン性の塩である請求項１に記載の方法。
【請求項３】
前記２つのアルカリ土類化合物がカルシウムとマグネシウムの化合物を含んでなる請求項１に記載の方法。
【請求項４】
存在するカルシウムとマグネシウムの合体した全重量基準で、前記アルカリ土類化合物が約０．１重量％と１．０重量％の間のマグネシウムを含有する、カルシウムとマグネシウムの化合物を含んでなる請求項３に記載の方法。
【請求項５】
アルカリ土類成分がアルカリ土類化合物の混合物を含んでなり、この化合物の一方が主成分であり、そして他の化合物が従成分であり、従成分中のアルカリ土類原子数に対する主成分中に存在するアルカリ土類原子の比が約９：１と約１０，０００：１の間の範囲にある請求項１に記載の方法。
【請求項６】
ｄ）前記触媒を約０．０５トールと約１００気圧の間の範囲の任意の圧力下で約１２０°と約２２０℃の間の範囲の任意の温度に約５分までの間の任意の時間加熱することにより、アニールする段階を更に含んでなる請求項１に記載の方法。
【請求項７】
酸素の実質的な不在下で行われる請求項６に記載の方法。
【請求項８】
前記カルボン酸がカプリン酸、カプリル酸、カプロン酸、オクタン酸、デカン酸、ドコサン酸、ドデカン酸、テトラデカン酸、オレイン酸、ヘキサデカン酸、リノレイン酸、リノレン酸、オクタデカン酸からなる群から選択される請求項１〜７のいずれかに記載の方法。
【請求項９】
前記更なる材料が約１００と１０００の間の分子量を有するメチルエーテルでキャップされたポリアルキレングリコールを含んでなる前出の請求項のいずれかに記載の方法。
【請求項１０】
前記アルカリ土類化合物が実質的にイオン性であり、アニオン部分を含んでなり、そして前記酸の解離定数が前記アニオン部分の共役酸の解離定数よりも大きい前出の請求項のいずれかに記載の方法。
【請求項１１】
前記酸が約１０重量％と９９．９重量％の間のＨ2ＳＯ4を含有する硫酸である前出の請求項のいずれかに記載の方法。
【請求項１２】
前記酸がアルキルベンゼンスルホン酸、アルキルベンゼンスルホン酸塩、パラ−トルエンスルホン酸、パラ−トルエンスルホン酸塩、ナフタレンスルホン酸塩、ナフタレンスルホン酸、スルホコハク酸塩、スルホコハク酸塩およびエーテル硫酸塩の酸性エステルからなる群から選択される前出の請求項のいずれかに記載の方法。
【請求項１３】
前記カルシウムの化合物の１つが酢酸カルシウムおよび水酸化カルシウムからなる群から選択され、そして前記カルボン酸が不飽和カルボン酸である請求項１に記載の方法。
【請求項１４】
前記カルボン酸がオレイン酸を含んでなる請求項１３に記載の方法。
【請求項１５】
前記アルカリ土類化合物の１つがイオン性カルシウム化合物であり、このアニオン部分がカルボン酸のアニオンを含んでなる請求項１に記載の方法。
【請求項１６】
前記アルカリ土類化合物の１つが過塩基性スルホン酸塩を含んでなる請求項１に記載の方法。
【請求項１７】
アルコールおよびエステルからなる群からなる有機材料をアルコキシル化する方法であって、請求項１〜１６のいずれか一つに述べられている方法により製造される触媒の存在下でエチレンオキシド、プロピレンオキシドおよびブチレンオキシドからなる群からなるアルキレンオキシドにより前記有機材料を処理することを含んでなる方法。
【請求項１８】
前記触媒が室温で不透明な物質の形で存在する前出の請求項のいずれかに記載の方法。
【請求項１９】
有機カルボキシ化合物を界面活性剤の性質を有する分子に変換するのに有用なアルコキシル化の方法であって、スキーム
【化１】
2008510614.tif 000001
（式中、Ｒ1は水素および任意のＣ1−Ｃ4アルキル基からなる群から独立に選択され；Ｒ2は独立に任意のＣ6−Ｃ24ヒドロカルビル基であり、そしてＲ3は独立に水素または任意のＣ1−Ｃ6ヒドロカルビル基であり、ｎは約１と３０の間の任意の整数である）
にしたがって進行し、そして請求項１〜１８のいずれかに述べられている触媒の存在下で行われる方法。
【請求項２０】
請求項１９に記載の方法の反応速度を増進する方法であって、反応の完結前の任意の段階で、カルボン酸、Ｃ1−Ｃ8アルコールおよび約１００と約１０００の間の分子量を有するポリアルキレングリコールを含んでなる三元混合物を反応試剤に添加する段階を含んでなり、添加される前記三元混合物の量が反応試剤の有機カルボキシ化合物の全重量基準で約０．１重量％と約１０重量％の間にある方法。
【請求項２１】
請求項１９に記載の方法の反応速度を増進する方法であって、反応の完結前の任意の段階で、カルボン酸、Ｃ1−Ｃ8アルコールおよび約１００と約１０００の間の分子量を有するポリアルキレングリコールを含んでなる三元混合物を反応試剤に添加する段階を含んでなり、添加される前記三元混合物の量が反応試剤の有機カルボキシ化合物の全重量基準で約０．１重量％と約１０重量％の間にある方法。
【請求項２２】
請求項１９に記載の方法の反応速度を増進する方法であって、反応の完結前の任意の段階で、カルボン酸、Ｃ1−Ｃ8アルコールおよび約１００と約１０００の間の分子量を有するＣ1−Ｃ10アルキルでキャップされたポリアルキレングリコールを含んでなる三元混合物を反応試剤に添加する段階を含んでなり、添加される前記三元混合物の量が反応試剤の有機カルボキシ化合物の全重量基準で約０．１重量％と約１０重量％の間にある方法。
【請求項２３】
前記触媒が前記触媒の全重量基準で０．１重量％と５重量％の間の任意の量で亜鉛を含んでなる前出の請求項のいずれかに記載の方法。
【請求項２４】
グリセリルトリエステルを界面活性剤の性質を有する分子に変換するのに有用なアルコキシル化の方法であって、請求項１−１８のいずれかに述べられている触媒の存在下でＣ1−Ｃ4アルキレンオキシドをグリセリルトリエステルに添加することを含んでなる方法。
【請求項２５】
少なくとも
アルカリ土類化合物；
約２と２５個の間の炭素原子を有する任意のカルボン酸；
約１００と１５００の間の分子量を有するポリアルキレングリコールまたは約１００と１５００の間の分子量を有するＣ１−Ｃ１０アルキルでキャッピングされたポリアルキレングリコールまたはこれらの混合物；および
強酸
を混合することにより得られる生成物を含んでなるアルコキシル化触媒。
【請求項２６】
アルカリ土類化合物がアルカリ土類金属塩である請求項２５に記載のアルコキシル化触媒。
【請求項２７】
アルカリ土類化合物がカルシウム塩である請求項２６に記載のアルコキシル化触媒。
【請求項２８】
アルカリ土類化合物が酢酸カルシウムである請求項２７に記載のアルコキシル化触媒。
【請求項２９】
カルボン酸が飽和脂肪酸である請求項２５に記載のアルコキシル化触媒。
【請求項３０】
カルボン酸が１〜３個の二重結合を有する脂肪酸である請求項２５に記載のアルコキシル化触媒。
【請求項３１】
カルボン酸がオレイン酸である請求項３０に記載のアルコキシル化触媒。
【請求項３２】
ポリアルキレングリコールがポリエチレングリコールである請求項２５に記載のアルコキシル化触媒。
【請求項３３】
Ｃ１−Ｃ１０アルキルでキャッピングされたポリアルキレングリコールがメトキシポリエチレングリコールである請求項２５に記載のアルコキシル化触媒。
【請求項３４】
強酸が硫酸である請求項２５に記載のアルコキシル化触媒。
【請求項３５】
アルカリ土類化合物が酢酸カルシウムであり、カルボン酸がオレイン酸であり、ポリアルキレングリコールがポリエチレングリコールであり、そして強酸が硫酸である請求項２５に記載のアルコキシル化触媒。
【請求項３６】
アルカリ土類化合物が酢酸カルシウムであり、カルボン酸がオレイン酸であり、Ｃ１−Ｃ１０アルキルでキャッピングされたポリアルキレングリコールがメトキシポリエチレングリコールであり、そして強酸が硫酸である請求項２５に記載のアルコキシル化触媒。
【請求項３７】
アルカリ土類化合物が触媒の約２４重量％であり、カルボン酸が触媒の約３５重量％であり、Ｃ１−Ｃ１０アルキルでキャッピングされたポリアルキレングリコールが触媒の約３５重量％であり、そして強酸が触媒の約６重量％である請求項２５に記載のアルコキシル化触媒。